【事件の表示】
　上記当事者間の登録第３３０７４１１号商標の登録取消審判事件について、次のとおり審決する。
【結　論】
　本件審判の請求は、成り立たない。
　審判費用は、請求人の負担とする。
【理　由】
第１　本件商標登録の取消しの審判
１　本件商標
　本件商標登録の取消しの審判に係る、登録第３３０７４１１号商標（以下「本件商標」という。）は、別掲に表示した構成よりなり、平成６年７月２９日に登録出願、第９類「理化学機械器具，測定機械器具，配電用又は制御用の機械器具，電池，電気磁気測定器，電線及びケーブル，写真機械器具，映画機械器具，光学機械器具，眼鏡，加工ガラス（建築用のものを除く。），救命用具，電気通信機械器具，レコード，電子応用機械器具及びその部品，オゾン発生器，電解槽，ロケット，遊園地用機械器具，回転変流機，調相機，電気アイロン，電気式ヘアカーラー，電気式ワックス磨き機，電気掃除機，電気ブザー，鉄道用信号機，乗物の故障の警告用の三角標識，発光式又は機械式の道路標識，火災報知機，事故防護用手袋，消火器，消火栓，消火ホース用ノズル，消防車，消防艇，盗難警報器，保安用ヘルメット，防火被服，防じんマスク，防毒マスク，磁心，自動車用シガーライター，抵抗線，電極，溶接マスク，映写フィルム，スライドフィルム，スライドフィルム用マウント，録画済みビデオディスク及びビデオテープ，ガソリンステーション用装置，自動販売機，駐車場用硬貨作動式ゲート，金銭登録機，計算尺，硬貨の計数用又は選別用の機械，作業記録機，写真複写機，手動計算機，製図用又は図案用の機械器具，タイムスタンプ，タイムレコーダー，電気計算機，パンチカードシステム機械，票数計算機，ビリングマシン，郵便切手のはり付けチェック装置，ウエイトベルト，ウェットスーツ，浮袋，エアタンク，水泳用浮き板，潜水用機械器具，レギュレーター，アーク溶接機，犬笛，家庭用テレビゲームおもちゃ，金属溶断機，検卵器，電気溶接装置，電動式扉自動開閉装置，メトロノーム」を指定商品として、平成９年５月１６日に設定登録されたものである。
２　本件商標登録の取消しの審判
　本件商標登録の取消しの審判は、商標法５０条により、本件商標の指定商品中「火災報知機，消防車，消防艇，盗難警報器，自動車用シガーライター」について、登録の取消しを請求するものである。
　
第２　請求人の主張
　請求人は、本件商標の指定商品中、「火災報知機，消防車，消防艇，盗難警報器，自動車用シガーライター」についての登録を取り消す、審判費用は被請求人の負担とする、との審決を求め、その理由及び答弁に対する弁駁を要旨次のように述べ、証拠方法として、甲第１号証及び同第２号証を提出した。
１　請求の理由
　本件商標は、その指定商品中、請求に係る商品について、過去３年間日本国内において、商標権者、専用使用権者又は通常使用権者のいずれも使用した事実がない。
　よって、本件商標は、商標法５０条１項の規定により、その登録を取り消されるべきである。
２　答弁に対する弁駁
（１）被請求人は、乙第４号証のカタログや同第５号証の取扱説明書に掲載されている、商品「ＷＥＢカメラ」及び「ネットワークカメラ」が盗難警報器にあたるとし、本件商標の使用を主張している。
　乙第４号証及び同第５号証によると、確かにＷＥＢカメラ及びネットワークカメラには、アラーム通報する機能があると認識できる。
　しかしながら、通報機能といっても、カメラ自体が警報を鳴らすのではなく、ネットワークで繋がっているアラームなどの周辺機器や携帯などの端末に通報することによって異常を知らせるものであり、盗難警報器にあたるものではない。また、「ＷＥＢカメラ」「ネットワークカメラ」は、文字通りカメラであって、電気通信機械器具に属するのは明らかである（甲第２号証）。
（２）甲第２号証の商標出願情報によると、指定商品の盗難防止用電気通信機械器具の類似群は、盗難警報器の類似群とは異なる。被請求人のＷＥＢカメラ及びネットワークカメラは、盗難防止用電気通信機械器具にあたるものである。
　従って、「ＷＥＢカメラ」及び「ネットワークカメラ」は、電気通信機械器具に属するものであり、盗難警報器ではない。
（３）以上のとおり、被請求人は、請求に係る商品について、本件商標の使用事実を立証していない。
　
第３　被請求人の答弁
　被請求人は、結論同旨の審決を求める、と答弁し、その理由を要旨次のように述べ、証拠方法として、乙第１号証ないし同第５号証を提出した。
１　乙第１号証（展示会パンフレット「第３回たま工業交流展」）には、被請求人（商標権者）が、平成１６年２月１３日（金）〜１４日（土）に、東京都昭島市つつじヶ丘２−８−５５に所在する会場（名称：昭和の森・メッセ昭島）で開催された展示会「第３回たま工業交流展」のブース（ブース番号：Ｂ３１）に展示したことが記載されている。
２　乙第２号証（写真１）には、被請求人が、ブース（ブース番号：Ｂ３１）にて商品に関する広告を展示し、頒布する様子が写されている。
３　乙第３号証（写真２）には、乙第４号証の広告「会社案内ＷＥＢカメラカタログ」が展示されている様子が写されている。
４　乙第４号証（会社案内ＷＥＢカメラカタログ）の表紙及び各ページの各所に、色彩のみを異にする本件商標と相似の商標が付されている。
　乙第４号証の10頁の「カメラのご紹介」のパンフレットに、カメラ（型式：ＰＩＳＩＰ−０１０）の写真と、「機能　モーションディテクション。警報メール送信。映像貯蔵（ストレージ）。ホームページ（カメラサーバー）。外部センサー端子。」の記載と、カメラ（型式：ＰＩＳＩＰ−０１０Ｆ）の写真と、「機能　モーションディテクション　動体除去。警報メール送信。映像貯蔵（ストレージ）。ホームページ（カメラサーバー）。外部センサー端子。」の記載とがある。
　乙第４号証の23頁には、「インテリジェントネットワークカメラＰＩ−ＮＣ１ＯＯ／ＰＩ−ＮＣ１ＯＯ−Ｆ」の記載があり、「ＰＩＳＩＰ」の標章が付されたカメラの映像が示されている。さらに、色彩のみを異にする本件商標と相似の商標が付されている。
５　乙第５号証（取扱説明書「ＰＩ‐ＮＣ１００形、ＰＩ‐ＮＣ１００‐Ｆ形ネットワークカメラ」）の６頁には、「ＰＩ−ＮＣ１ＯＯ形、ＰＩ−ＮＣ１ＯＯ−Ｆ形ネットワークカメラは、専用画像処理エンジンを内蔵し、画面上の動きを検知、ネットワーク経由で通報可能な高機能ネットワークカメラです。映像配信機能を併用することで、イントラネットやインターネットを利用した防犯設備・遠隔監視を実現することができます。」との記載がある。
　同じく、乙第５号証の６頁には、「（１）画像処理による動き検知（ＰＩＳ）機能標準装備専用画像処理エンジンによる、画面上に設定したエリア内の動きを検知できます。最大５つのエリアに分割することで、検知感度を調節したり、エリア間のロジック設定を利用して不要なアラーム（警報）を軽減し、防犯・盗難防止の監視業務を効率的におこなうことができます。（２）パソコン、携帯電話へのアラーム（警報）通知専用アラーム（警報）受信ソフトを利用し、パソコンでアラーム（警報）通知を受信、指定プログラムを自動的に起動できます。携帯電話には、Ｅメールでアラーム（警報）通知を受信できます。」との記載がある。なお、本文中の「受信できます。」は「送信できます。」の誤字である。
　さらに、乙第５号証の66頁には、「アラーム（警報）通報は、パソコンなどへＨＴＴＰプロトコルによる通報を行う『ホスト通報』、携帯電話などへ通報を行なう『メール通報』、アラーム（警報）表示灯などの周辺機器との接続が可能な『デジタル出力通報』の３種類があります。複数の通報を併用することもできます。」との記載がある。
　すなわち、インテリジェントネットワークカメラＰＩ−ＮＣ１ＯＯ／ＰＩ−ＮＣ１ＯＯ−Ｆを家屋の屋内に設け、画面上の家屋の出入口にエリアを設定し、不審者がエリアに現れると、盗難が発生した又は盗難の恐れがあると判断して、外部出力端子に繋がった警報アラームを鳴らしたり、携帯電話に警報と画面の映像を発信したりすることができる。
　また、インテリジェントネットワークカメラＰＩ−ＮＣ１ＯＯ／ＰＩ−ＮＣ１ＯＯ−Ｆを駐車場に設け、画面上の駐車場所に止められた車にエリアを設定し、車がエリアから消えると、車の盗難が発生したと判断して、外部出力端子に繋がった非常アラームを鳴らしたり、携帯電話に警報と画面の映像を発信したりすることができる。
６　上記の証拠から、平成１６年２月１３日（金）〜１４日（土）に、昭和の森・メッセ昭島において、被請求人（商標権者）が盗難警報器について、本件商標の使用をしたことが明らかである。
７　結び
　以上のとおり、本件商標は、本件審判の請求の登録前３年以内に日本国内において、商標権者がその請求に係る指定商品について、本件商標を使用しているから、本件請求は成り立たない。
　
第４　当審の判断         
１　被請求人の提出に係る乙各号証によれば、下記の事実が認められる。
（１）展示会パンフレット「第３回たま工業交流展」（乙第１号証）によれば、被請求人（商標権者）は、平成１６年２月１３日（金）〜１４日（土）に、昭和の森・メッセ昭島（昭島市つつじヶ丘２−８−５５）において、開催された展示会「第３回たま工業交流展」のブースに展示したこと。
　そして、そのパンフレットには、「天基電気（株）」として、「インターネットを経由して映像の監視と定位置（設定）エリアの変化（動体監視）をとらえて異常信号と設定先に情報伝達が出来るＷＥＢカメラです。防犯監視、混雑情報として便利です。」と記載され紹介されていること。
（２）ブースに展示された写真（乙第２号証及び同第３号証）によれば、該ブースにおいて、乙第４号証の「会社案内　ＷＥＢカメラカタログ」と思しきパンフレットが配布用に備えられていたこと。
（３）「会社案内　ＷＥＢカメラカタログ」（乙第４号証）の10頁（同号証２葉目の「会社案内　ＷＥＢカメラカタログ」の部分を1頁とする。）中に記載されている表題「カメラのご紹介」の項には、カメラ（型式　ＰＩＳＩＰ−０１０）と共に「機能　モーションディテクション　警報メール送信　映像貯蔵（ストレージ）　ホームページ（カメラサーバー）　外部センサー端子」と記載されていること。また、同23頁ないし26頁には、「インテリジェントネットワークカメラ」が紹介され、「ＰＩ−ＮＣ１ＯＯ／ＰＩ−ＮＣ１ＯＯ−Ｆシステム構成例」が示されている。
（４）「ＰＩ−ＮＣ１ＯＯ形／ＰＩ−ＮＣ１ＯＯ−Ｆ形／ネットワークカメラ　取扱説明書」（乙第５号証）の6頁には、「第１章　ご使用になる前に」「１．１　はじめに」として、「ＰＩ−ＮＣ１ＯＯ形，ＰＩ−ＮＣ１ＯＯ−Ｆ形ネットワークカメラは、専用画像処理エンジンを内蔵し、画面上の動きを検知、ネットワーク経由で通報可能な高機能ネットワークカメラです。映像配信機能を併用することで、イントラネットやインターネットを利用した防犯設備・遠隔監視を実現することができます。」と記載されていること。
　また、同頁の「１．２主な特長」には、「（１）画像処理による動き検知（ＰＩＳ）機能標準装備　専用画像処理エンジンにより、画面上に設定したエリア内の動きを検知できます。最大５つのエリアに分割することで、検知感度を調節したり、エリア間のロジック設定を利用して不要なアラーム（警報）を軽減し、防犯・盗難防止の監視業務を効率的におこなうことができます。」、「（２）パソコン、携帯電話へのアラーム（警報）通知　専用アラーム（警報）受信ソフトを利用し、パソコンでアラーム（警報）通知を受信、指定プログラムを自動的に起動できます。携帯電話には、Ｅメールでアラーム（警報）通知を受信できます（被請求人は「受信できます。」は「送信できます。」の誤りと指摘している。）。」と記載されていること。
　さらに、66頁には、「６．６．８　アラーム（警報）通報設定ページ」として、「アラーム（警報）通報は、パソコンなどへＨＴＴＰプロトコルによる通報を行う『ホスト通報』、携帯電話などへ通報を行なう『メール通報』、アラーム（警報）表示灯などの周辺機器との接続が可能な『デジタル出力通報』の３種類があります。複数の通報を併用することもできます。」との記載があること。
２　被請求人が本件商標を使用する商品（装置）について
　「ＷＥＢカメラカタログ」（乙第４号証）及び「ネットワークカメラ取扱説明書」（乙第５号証）等に記載されている説明によれば、被請求人が取り扱っている「ＷＥＢカメラ」「ネットワークカメラ」との商品は、不審者がエリアに現れると、盗難が発生し、あるいは、その恐れがあるとの想定のもとに、警報アラームを鳴らしたり、そこから離れた場所に情報を発信したりすることができる装置であると判断されるものである。また、同装置は、車の盗難防止のためにも使用できるものでもある。
　そうとすれば、乙第４号証及び同第５号証に示される「ＷＥＢカメラ」「ネットワークカメラ」を使用する装置は、その機能、目的、用途に照らし、それが、盗難警報のための監視・通報装置であって、本件取消請求に係る指定商品中の「盗難警報器」に属する商品（装置）であると認めて差し支えないものである。
３　そして、乙第４号証及び同第５号証には、本件商標と社会通念上同一のものと看取しうる商標が使用されており、乙第１号証ないし同第３号証を総合すれば、該商標は、平成１６年２月１３日（金）〜１４日（土）に開催された「第３回たま工業交流展」において使用されていたといえるものである。
４　結語 
  してみれば、被請求人（商標権者）は、本件商標を本件審判請求の登録前３年以内に日本国内において、請求に係る指定商品中「盗難警報機」について、使用していたということができるものである。
　したがって、本件商標の指定商品中、請求に係る指定商品についての登録は、商標法５０条の規定により、取り消すことはできない。
　よって、結論のとおり審決する。